(57)【要約】      （修正有）【課題】買い物でレジ袋やビニール袋の開口部を、機能的にすべり止めクリームを使用して開けることができる指用すべり止めクリーム具を提供する。【解決手段】紐状のもの５が収納袋２の中を上部の穴開き部３から下部の開口部４を貫通して上下に移動できるよう挿入されており、紐状のもの５の上端部には上部連結部６を通じてフック７が付き、紐状のもの５の下端部には下部連結部８を通じて蓋付の指用すべり止めクリーム容器１が付いた構成で、収納袋２を紐状のもの５に沿って上側に移動させることにより、収納袋２に納まっている蓋付の指用すべり止めクリーム容器１を収納袋２から出し、また逆に、収納袋２を紐状のもの５に沿って下側に移動させることにより、蓋付の指用すべり止めクリーム容器１を収納袋２に納めることができるように形成されている。【選択図】図１
0003206232.tif 000002
【実用新案登録請求の範囲】
【請求項１】
紐状のものが収納袋の中を上部の穴開き部から下部の開口部を貫通して上下に移動できるよう挿入されており、該紐状のものの上端部には上部連結部を通じてフックが付き、該紐状のものの下端部には下部連結部を通じて蓋付の指用すべり止めクリーム容器が付いた構成で、該収納袋を該紐状のものに沿って上側に移動させることにより、該収納袋に納まっている蓋付の指用すべり止めクリーム容器を収納袋から出し、また逆に、該収納袋を該紐状のものに沿って下側に移動させることにより、蓋付の指用すべり止めクリーム容器を収納袋に納めることができるように形成されたことを特徴とする指用すべり止めクリーム具。
【請求項２】
蓋付の指用すべり止めクリーム容器を収納する収納袋が、デザイン性を有することを特徴とする請求項第１項記載の指用すべり止めクリーム具。
【考案の詳細な説明】
【技術分野】
【０００１】  本考案は、買物時にビニール袋を開ける際などに使用する指用すべり止めクリーム具に関する。
【背景技術】
【０００２】  スーパー、フードセンター、薬局などで買い物した購入者にレジ袋やビニール袋がレジで渡され、その中に買い物した品物を入れる場合が多いが、指でレジ袋やビニール袋の開け口を開けようとしても、レジ袋やビニール袋に対して指が滑ってしまいスムーズに開くことができずに困る場合が多かった。【０００３】  そこで、その対策としてお店側で、水を含んだスポンジや水で濡らした布を用意し、購入者はそれに触り水分で指を濡らしレジ袋やビニール袋と指との摩擦力を高め、レジ袋やビニール袋の開口部を開けやすいようにしている。
【考案の概要】
【考案が解決しようとする課題】
【０００４】  確かに、水を含んだスポンジや水で濡らした布を使用することで、レジ袋やビニール袋の開口部が開けやすくなっている。しかしながら、不特定多数の購入者が水を含んだスポンジや水で濡らした布に触れるため、衛生上のことを気にして戸惑いながら触れている購入者も多かった。
【課題を解決するための手段】
【０００５】  本考案の請求項１に記載の指用すべり止めクリーム具は、紐状のものが収納袋
の中を上部の穴開き部から下部の開口部を貫通して上下に移動できるよう挿入されており、紐状のものの上端部には上部連結部を通じてフックが付き、紐状のものの下端部には下部連結部を通じて蓋付の指用すべり止めクリーム容器が付いた構成で、
収納袋を紐状のものに沿って上側に移動させることにより、収納袋に納まって
いる蓋付の指用すべり止めクリーム容器を収納袋から出し、また逆に、収納袋を紐状のものに沿って下側に移動させることにより、蓋付の指用すべり止めクリーム容器を収納袋に納めることができるように形成されている。【０００６】  この指用すべり止めクリーム具を買い物袋などに吊り下げておき、レジ袋やビニール袋の開口部を開けるとき、収納袋から蓋付の指用すべり止めクリーム容器を出し、蓋を開けて指にすべり止めクリームをつけることにより、レジ袋やビニール袋の開口部を容易に開ける。【０００７】  本考案の請求項２に記載の指用すべり止めクリーム具は、請求項第１項において、蓋付の指用すべり止めクリーム容器を収納する収納袋がデザイン性を有していることを特徴とするものである。
【考案の効果】
【０００８】  以上のように本考案の指用すべり止めクリーム具によれば、買い物袋やバッグ等に吊り下げてあり、すべり止めクリームを使用するときに適宜収納袋から蓋付の指用すべり止めクリーム容器を出し、蓋を開けて指にすべり止めクリームをつけレジ袋やビニール袋の開口部を開けることができ、機能的で衛生上も気にならない。【０００９】  また、収納袋にデザイン性を施すことでファッション性にも優れている。
【図面の簡単な説明】
【００１０】
【図１】本考案の指用クリーム具で、蓋付の指用すべり止めクリーム容器が収納袋の中に収納されている状態の斜視図である。
【図２】本考案の指用クリーム具で、収納袋がデザイン性を有している状態を示す斜視図である。
【図３】本考案の指用クリーム具で、収納袋から蓋付の指用すべり止めクリーム容器を出し、蓋を開け、すべり止クリームを手の指に付けている状態を示す斜視図である。
【図４】本考案の指用クリーム具をバッグに取り付けた状態を示した斜視図である。
【考案を実施するための形態】
【００１１】  以下、本考案の実施の形態について図面を参照して説明する。
【００１２】  図１は、蓋付の指用すべり止めクリーム容器１が収納袋２の中に収納されてい
る状態を表している指用クリーム具を示した斜視図である。上部に穴開き部３、下部に開口部４がある収納袋２において、上部の穴開き部３から紐状のもの５としてチェーン紐が収納袋２の中を上下に移動できるよう挿入されており、チェーン紐の上端部には上部連結部６を通じてフック７が付き、チェーン紐の下端部には下部連結部８を通じて蓋付の指用すべり止めクリーム容器１が付いて、クリームを使用しないときは、この蓋付の指用すべり止めクリーム容器１は収納袋２の中に納められている。図１では、紐状のもの５としてチェーン紐を使用しているが、革製、布製、軟質の樹脂製等も使用できる。
【００１３】  図２は、収納袋２がデザイン性を有している指用クリーム具を示した斜視図である。図２の場合は、収納袋２が犬の顔を模したデザインであり、犬の足を模したデザイン９も収納袋２に取り付けている場合を示している。
【００１４】  図３は、収納袋２から蓋付の指用すべり止めクリーム容器１を出し、蓋１０を開け、すべり止クリーム１１を手の指１２に付けている状況を示した斜視図である。蓋付の指用すべり止めクリーム容器１を収納袋２から出すときは、収納袋２をチェーン紐５に沿って上側に移動させることにより、収納袋２に納まっている蓋付の指用すべり止めクリーム容器１を収納袋２から出す。そして、蓋１０を開け、すべり止クリーム１１を手の指１２に付ける。
すべり止クリーム１１を手の指１２に付けた後は、蓋１０を閉じ、収納袋２をチェーン紐５に沿って下側に移動させることにより、蓋付の指用すべり止めクリーム容器１を収納袋２に納める。
【００１５】  図４は、指用クリーム具１３をバッグ１４に取り付けた状態を示した斜視図である。図４では、バッグ１４への取り付けは、チェーン紐５の上端部のフック７でバッグ１４の取っ手部１５に取り付けているが、指用クリーム具１３の使用に便利で、バッグ１４の使用に邪魔にならない場所に取り付ければよい。
【符号の説明】
【００１６】１    蓋付の指用すべり止めクリーム容器
２    収納袋
３    穴開き部
４    開口部
５    チェーン紐
６    上部連結部
７    フック
８    下部連結部
９    犬の足を模したデザイン
１０  蓋
１１  すべり止めクリーム
１２  手の指
１３  指用クリーム具
１４  バッグ
１５  取っ手部
【図１】
0003206232.tif 000003
【図２】
0003206232.tif 000004
【図３】
0003206232.tif 000005
【図４】
0003206232.tif 000006